(57)【要約】【課題】  ヒップアップ効果がより高く、骨盤矯正や出た下腹を押さえる効果のある補整下着を提供せんとするものである。【解決手段】  上記引っ張り上げ縁部帯２を上部に引っ張り上げ、第１の係止部の一方３ａを該第１の係止部の他方３ｂに係止させることで、ヒップを強制的に上方にアップさせ、さらにその状態から、骨盤矯正ベルト４ａ、４ｂをお腹の周りに巻き付け、第２の係止部４ａ、４ｂで、該骨盤矯正ベルト４ａ、４ｂ両端側を係止させることで、仙腸関節が狭められるため、骨盤矯正がなされ、ヒップアップ効果がさらに数段高くなり、出た下腹を押さえる効果も大いに期待できる。【選択図】        図６
2016089322.tif 000002
【特許請求の範囲】
【請求項１】
臀部を覆う布地の該臀部上向き斜面部位につき、両臀部に跨がるように切り裂いて作成された、或いは該臀部上向き斜面部位を、両臀部に跨がるように別布で取り付けられた、引っ張り上げ縁部帯と、
上記引っ張り上げ縁部帯の上端部にその一方が設けられると共に、該上端部が臀部を覆う布地の上辺近くに、着脱自在に係止出来るように、他方が取り付けられた第１の係止部と、
上記引っ張り上げ縁部帯の両臀部に跨がる方向に夫々延出し、該引っ張り上げ縁部帯の上部に設けられた骨盤矯正ベルトと、
両骨盤矯正ベルトの夫々端部に、それらの端部を着脱自在に係止出来るように設けられた第２の係止部と
を有することを特徴とする補整下着。
【請求項２】
上記引っ張り上げ縁部帯が、補正下着本体の布地とは別布で構成されている場合に、該引っ張り上げ縁部帯が、臀部の股付け根から延出し、臀部上向き斜面部位を、両臀部に跨がるように覆い、且つその延出方向の長さが補正下着本体の同長さより短くされ、臀部を覆うカバー状に構成されることを特徴とする請求項１記載の補整下着。
【請求項３】
上記補整下着において、上記第２の係止部が、前鍵ホック式のもので構成されると共に、上記骨盤矯正ベルト全体が伸縮性素材で構成されることを特徴とする請求項１又は２記載の補整下着。
【請求項４】
上記補整下着において、上記第２の係止部が、前鍵ホック式のもので構成されると共に、上記骨盤矯正ベルトの延出方向の途中に挟まれるように夫々弾性体を連続して設けたことを特徴とする請求項１〜３いずれか記載の補整下着。
【発明の詳細な説明】
【技術分野】
【０００１】
本発明は、ヒップアップ及び骨盤矯正などの効果の高い補整下着に関する。
【背景技術】
【０００２】
従来からこのヒップアップ用の補整下着１００は、図１１に示される下記特許文献１の発明のように、背部股下部からヒップライン下部を包み込むように曲状に補正補強領域１１０を設けて、この下着を履く時には該補正補強領域１１０が適度に伸び、またその後は、該補正補強領域１１０が次第に縮んで、ヒップラインを持ち上げるような特殊な伸縮性能を有する素材を使用するものが多い。
【先行技術文献】
【特許文献】
【０００３】
【特許文献１】実用新案登録第３０３５７５２号
【発明の概要】
【発明が解決しようとする課題】
【０００４】
しかし、そのような素材を用いても、ヒップアップ効果は限定的であり、著しくその効果が上がるものが望まれていた。ましてや、骨盤矯正や出た下腹を押さえる効果等と言ったものは、それらに望むべくもなかった。
【０００５】
本発明は、以上のような問題に鑑み創案されたものであって、ヒップアップ効果がより高く、骨盤矯正や出た下腹を押さえる効果のある補整下着を提供せんとするものである。
【課題を解決するための手段】
【０００６】
本発明に係る補整下着の構成は、
臀部を覆う布地の該臀部上向き斜面部位につき、両臀部に跨がるように切り裂いて作成された、或いは該臀部上向き斜面部位を、両臀部に跨がるように別布で取り付けられた、引っ張り上げ縁部帯と、
上記引っ張り上げ縁部帯の上端部にその一方が設けられると共に、該上端部が臀部を覆う布地の上辺近くに、着脱自在に係止出来るように、他方が取り付けられた第１の係止部と、
上記引っ張り上げ縁部帯の両臀部に跨がる方向に夫々延出し、該引っ張り上げ縁部帯の上部に設けられた骨盤矯正ベルトと、
両骨盤矯正ベルトの夫々端部に、それらの端部を着脱自在に係止出来るように設けられた第２の係止部と
を有することを基本的な特徴としている。
【０００７】
上記構成によれば、本補整下着を履いた際に、後述する図５及び図６に示すように、上記引っ張り上げ縁部帯を上部に引っ張り上げ、第１の係止部の一方を該第１の係止部の他方に係止させることで、ヒップを強制的に上方にアップさせることができるようになるため、ヒップアップ効果が従来のものよりもより高くなる。
【０００８】
また、その状態から、骨盤矯正ベルトをお腹の周りに巻き付け、第２の係止部で、そのベルト両端側を係止させることで、仙腸関節が狭められるため、骨盤矯正がなされ、ヒップアップ効果がさらに数段高くなり、さらに出た下腹を押さえる効果も大いに期待できることになる。
【０００９】
仙腸関節は、骨盤の仙骨と腸骨をつなぐ関節であり、お産により広がったり、年を重ねる毎に次第に広がり、ヒップが垂れ下がる原因となる。そのため、本願構成のように、骨盤矯正ベルトをお腹の周りに巻き付け、第２の係止部で、そのベルト両端側を係止させることで、仙腸関節が狭められると、骨盤矯正がなされることで、上記のような効果が期待できることになる。
【００１０】
他方、上記引っ張り上げ縁部帯が、補正下着本体の布地とは別布で構成されている場合に、該引っ張り上げ縁部帯が、臀部の股付け根から延出し、臀部上向き斜面部位を、両臀部に跨がるように覆い、且つその延出方向の長さが補正下着本体の同長さより短くされ、臀部を覆うカバー状に構成されていると、後述する図９に示すように、上記第１の係止部が係止された際に、引っ張り上げ縁部帯が両臀部を股付け根部分から上方に引っ張り上げる状態になり、より一層ヒップアップ効果が高くなる。
【００１１】
上記第２の係止部にベルクロ（登録商標）などの面ファスナを用いても、その効果は十分望めることになる。ただし、第２の係止部に上記面ファスナを用いた場合、骨盤矯正ベルトの端部側に設けられた夫々の面ファスナが重ねられた部分が生地としては厚くなり、その上からスカートやパンツを履いた場合、その部分が凹凸のラインとなって、そのラインがスカートやパンツ等に浮き出てしまう。
【００１２】
そのような凹凸のラインが浮き出ないようにするためには、上記第２の係止部が、前鍵ホック（フロントホック）式のもので構成されると良い。すなわち、そのような前鍵ホック式のものが用いられると、係止部分の凹凸ラインがスカートやパンツ等の下から浮き出なくなって、係止できるようになる。ただし、前鍵ホック式は一旦両端を寄せて狭め（その際その部分に相当する身体部分も狭めることが必要となる）、鍵とホックを引っかけるので、その後、狭めた身体部分が広がってしまう。そのため、上記骨盤矯正ベルトの延出方向の途中に挟まれるように夫々弾性体を連続して設けることで、鍵とホックを引き寄せる際に、この弾性体が伸び、鍵とホックの係止を容易となる。その係止後、弾性体のテンションで、骨盤矯正ベルトにより、腰骨の周りが締め付けられ、仙腸関節が狭められて、骨盤矯正、ヒップアップ効果、さらに出た下腹を押さえる効果を得ることが可能となる。
【００１３】
また、第２の係止部に上記面ファスナを用いていると、洗濯を繰り返すうちに、面ファスナ部分が用をなさなくなる（面ファスナ部分の係止ができなくなる）状態になるので、上記第２の係止部が、前鍵ホック式のもので構成され、且つ骨盤矯正ベルトの延出方向の途中に挟まれるように夫々弾性体を連続して設ける構成とする方が望ましい。他方、骨盤矯正ベルト全体が例えばナイロンとポリウレタンを組み合わせたような伸縮性素材で構成されると、ベルトの途中に弾性体を設ける場合に比べて構造的に簡易になり、見た目が良くなることや製造工程の簡略化など、その利点はより高くなる。その場合は、上記のようなベルトの途中に弾性体を設けるような仕方にする必要はない。
【００１４】
さらに、骨盤矯正ベルトの第２の係止部を外し、該補整下着を抜こうとした際に、該骨盤矯正ベルトが容易に下に落ちないようにするために、本補整下着の前側両サイドに、ベルトループ（通常のズボン・パンツ等の腰付近に備え付けられたベルトのガイド）を夫々備え、スムーズに脱げるようにすると良い。
【発明の効果】
【００１５】
本発明の上記構成によれば、この補整下着を履いた際に、上記引っ張り上げ縁部帯を上部に引っ張り上げ、第１の係止部の一方を該第１の係止部の他方に係止させることで、ヒップを強制的に上方にアップさせることができるようになり、従来のものよりヒップアップ効果がより高くなり、加えて、骨盤矯正ベルトをお腹の周りに巻き付け、第２の係止部で、そのベルト両端側を係止させることで、仙腸関節が狭められるため、骨盤矯正がなされ、ヒップアップ効果がさらに数段高くなり、さらに出た下腹を押さえる効果も得られるという優れた効果を奏し得ることになる。
【００１６】
また、上記引っ張り上げ縁部帯が、補正下着本体の布地とは別布で構成されている場合に、該引っ張り上げ縁部帯が、臀部の股付け根から延出し、臀部上向き斜面部位を、両臀部に跨がるように覆い、且つその延出方向の長さが補正下着本体の同長さより短くされ、臀部を覆うカバー状に構成されている構成の場合には、上記第１の係止部が係止された際に、引っ張り上げ縁部帯が両臀部を股付け根部分から上方に引っ張り上げる状態になり、より一層ヒップアップ効果が高くなる。
【図面の簡単な説明】
【００１７】
【図１】本発明にかかる実施例１の補整下着本体１の構成を示す説明図である。
【図２】上記実施例の側面から見た状態を示す説明図である。
【図３】上記実施例の第１係止部３ａ、３ｂを係止させる前の状態を正面から見たところを示す説明図である。
【図４】上記実施例の構成によるヒップアップ効果の状態を示す説明図である。
【図５】上記実施例の構成によるヒップアップ効果、骨盤矯正及び下腹押さえ効果の状態を示す側面図である。
【図６】上記実施例の構成によるヒップアップ効果、骨盤矯正及び下腹押さえ効果の状態を示す正面図である。
【図７】本発明にかかる実施例２の補整下着本体１の構成を示す説明図である。
【図８】本発明に係る補整下着の３つ目の実施例構成を示す説明図である。
【図９】本実施例の補整下着を身体に装着した場合の斜め後方から見た状態を示す斜視図である。
【図１０】同じく本実施例の補整下着を身体に装着した場合の斜め前方から見た状態を示す斜視図である。
【図１１】従来の補整下着１００の構成を示す説明図である。
【発明を実施するための形態】
【００１８】
以下、本発明の実施の形態を図示例と共に説明する。
【実施例１】
【００１９】
図１〜図６は、本発明に係る補整下着の一実施例構成を示す説明図である。図中１は補整下着本体、２は引っ張り上げ縁部帯、３ａ、３ｂは第１の係止部、４ａ、４ｂは骨盤矯正ベルト、５ａ、５ｂは第２の係止部、６ａ、６ｂは弾性体、７ａ、７ｂはベルトループを各示している。
【００２０】
図１及び図２に示すように、本補整下着本体１は、図７に示す、従来の補整下着１００のように、背部股下部からヒップライン下部を包み込むように曲状に補正補強領域１１０が設けられていて、この下着を履く時には該補正補強領域１１０が適度に伸び、またその後は、該補正補強領域１１０が次第に縮んで、ヒップラインを持ち上げられる構成が、備えられている。（尚、このような補正補強領域１１０が無い場合も、本発明構成は適用可能である。）
【００２１】
そして、臀部を覆う布地の該臀部上向き斜面部位につき、両臀部に跨がるように切り裂いて作成された、引っ張り上げ縁部帯２と、上記引っ張り上げ縁部帯２の上端部にその一方３ａが設けられると共に、該上端部が臀部を覆う布地の上辺近くに、着脱自在に係止出来るように、他方３ｂが取り付けられた第１の係止部とが備えられている。
【００２２】
さらに、上記引っ張り上げ縁部帯２の両臀部に跨がる方向に夫々延出する骨盤矯正ベルト４ａ、４ｂと、両骨盤矯正ベルト４ａ、４ｂの夫々端部に、それらの端部を着脱自在に係止出来るように設けられた第２の係止部５ａ、５ｂとを有している。
【００２３】
第１の係止部３ａ、３ｂは、本構成では、ベルクロ（登録商標）等の面ファスナが用いられており、引っ張り上げ縁部帯２の上端部側の一方に、該面ファスナのフック又はループが、また臀部を覆う布地の上辺近くにその上端部が設けられている他方に、同じく面ファスナのループ又はフックが用いられている。
【００２４】
従って、該補整下着本体１を履いた際に、図３に示すように、上記引っ張り上げ縁帯部２を上部に引っ張り上げ、一方の係止部３ａ（例えば面ファスナのフック）を他方の係止部３ｂ（例えば面ファスナのループ）に係止させることで、ヒップを強制的に上方にアップさせることができる（図矢指線に示す）ようになるため、ヒップアップ効果が従来のものよりもより高くなる。図３の破線部分は、図７の従来の補整下着１００を履いた場合のヒップラインを示している。
【００２５】
また、上記骨盤矯正ベルト４ａ、４ｂは、特に材質の限定はないが、その性質上、ある程度の可撓性を有しており、且つ下腹部分を締め付ける必要上、引っ張った場合はそれ相応のテンションが得られるものである必要があり、補整下着本体１と質感が近く且つ同色のものが良く、例えばナイロン製のものなどが用いられることになる。
【００２６】
さらに、本実施例構成では、上記第２の係止部５ａ、５ｂが、女性下着のブラジャなどに用いられている前鍵ホック（フロントホック）式のもので構成されており、係止部分の凹凸ラインがスカートやパンツ等の下から浮き出なくなって、係止できるようになる。
【００２７】
他方、第２の係止部５ａ、５ｂに前鍵ホック式のものを用いた場合、前鍵ホック式のものは一旦両端を寄せて狭め（その際その部分に相当する身体部分も狭めることが必要となる）、鍵とホックを引っかけるので、その後、狭めた身体部分が広がってしまう。そのため、上記骨盤矯正ベルト４ａ、４ｂの延出方向の途中に挟まれるように夫々幅広のゴム帯等からなる弾性体６ａ、６ｂを連続して設けることで、鍵とホックを引き寄せる際に、これらの弾性体６ａ、６ｂが伸び、鍵とホックの係止を容易とする。その係止後、弾性体６ａ、６ｂのテンションで、骨盤矯正ベルト４ａ、４ｂにより、腰骨の周りが締め付けられ、仙腸関節が狭められて、骨盤矯正、ヒップアップ効果、さらに出た下腹を押さえる効果を得ることが可能となる。
【００２８】
その他、骨盤矯正ベルトの第２の係止部を外し、該補整下着を抜こうとする際に、該骨盤矯正ベルトが容易に下に落ちないようにするために、本補整下着の前側両サイドに、ベルトループ７ａ、７ｂ（通常のズボン・パンツ等の腰付近に備え付けられたベルトのガイド）が夫々備えられており、スムーズに脱げるようにしている。
【００２９】
上記本実施例構成によれば、該補整下着本体１を履く際に、上記引っ張り上げ縁部帯２を上部に引っ張り上げ、第１の係止部の一方３ａを該第１の係止部の他方３ｂに係止させることで、ヒップを強制的に上方にアップさせることができるようになり、従来のものよりヒップアップ効果がより高くなり、加えて、骨盤矯正ベルト４ａ、４ｂをお腹の周りに巻き付け、前鍵ホック式の第２の係止部５ａ、５ｂで、その骨盤矯正ベルト４ａ、４ｂの両端側を係止させることにより、仙腸関節が狭められるため、骨盤矯正がなされ、ヒップアップ効果がさらに数段高くなり、さらに出た下腹を押さえる効果も得られるようになる。
【実施例２】
【００３０】
図７は、本発明に係る補整下着の２つ目の実施例構成を示す説明図である。本実施例では、骨盤矯正ベルト４ａ、４ｂの延出方向の途中に挟まれるように夫々弾性体６ａ、６ｂを連続して設けるとしている実施例１とは異なり、骨盤矯正ベルト４ｃ全体がナイロンとポリウレタンでできている伸縮性素材で構成されている。第２の係止部５ａ、５ｂに前鍵ホック式のものが用いられた場合、前鍵ホック式のものは一旦両端を寄せて狭め（その際その部分に相当する身体部分も狭めることが必要となる）、鍵とホックを引っかけるので、その後、狭めた身体部分が広がってしまう。そのため、実施例１では、上記骨盤矯正ベルト４ａ、４ｂの延出方向の途中に挟まれるように夫々弾性体６ａ、６ｂを連続して設けることで、鍵とホックを引き寄せる際に、これらの弾性体６ａ、６ｂが伸び、鍵とホックの係止を容易としていた。しかし、本実施例構成では、骨盤矯正ベルト４ｃ自身が伸縮性素材で構成されているので、鍵とフックの係止後、骨盤矯正ベルト４ｃ自身のテンションで、腰骨の周りが締め付けられ、仙腸関節が狭められて、骨盤矯正、ヒップアップ効果、さらに出た下腹を押さえる効果を得ることが可能となる。
【実施例３】
【００３１】
図８は、本発明に係る補整下着の３つ目の実施例構成を示す説明図である。本実施例では、上記引っ張り上げ縁部帯２が、補正下着本体１の布地とは別布（ナイロンなどにポリウレタン弾性繊維を交編してできるストレッチパワーのある細かいネット状の編物であるとより良い）で構成されており、該引っ張り上げ縁部帯２が、臀部の股付け根から延出し、臀部上向き斜面部位を、両臀部に跨がるように覆い、且つその延出方向の長さが補正下着本体１の同長さより短くされ、臀部を覆うカバー状に構成されている。
【００３２】
以上のような構成を有しているため、図９及び図１０に示すように、上記第１の係止部３ａ、３ｂが係止された際に、引っ張り上げ縁部帯２が両臀部を股付け根部分から上方に引っ張り上げる状態になり、より一層ヒップアップ効果が高くなる。
【００３３】
本実施例の構成では、図８に示すように、引っ張り上げ縁部帯２が臀部を覆うカバー状に別布で構成されており、その上部に設けられた骨盤矯正ベルト４は、１つのベルトで構成されている（上記実施例２と同じく骨盤矯正ベルト４全体がナイロンとポリウレタンでできている伸縮性素材で構成されている）。
【００３４】
そして、引っ張り上げ縁部帯２について、図９に示すように、臀部を覆うように、上部に引っ張り上げ、第１の係止部３ａ、３ｂを係止せしめて、第２の係止部５ａ、５ｂの鍵とホックを引っかけることで、骨盤矯正ベルト４自身のテンションで、腰骨の周りが締め付けられ、仙腸関節が狭められて、図９及び図１０に示すように、骨盤矯正、ヒップアップ効果、さらに出た下腹を押さえることが可能となる。
【００３５】
尚、本発明の補整下着は、上述の実施例１〜３にのみ限定されるものではなく、本発明の要旨を逸脱しない範囲内において種々変更を加え得ることは勿論である。
【産業上の利用可能性】
【００３６】
本発明の補整下着は、下着だけでは無く、上着であるパンツなどに用いることもできる。
【符号の説明】
【００３７】
１                    補整下着本体
２                    引っ張り上げ縁部帯
３ａ、３ｂ            第１の係止部
４、４ａ、４ｂ、４ｃ  骨盤矯正ベルト
５ａ、５ｂ            第２の係止部
６ａ、６ｂ            弾性体
７ａ、７ｂ            ベルトループ
１００                    補整下着
１１０                    補正補強領域
【図１】
2016089322.tif 000003
【図２】
2016089322.tif 000004
【図３】
2016089322.tif 000005
【図４】
2016089322.tif 000006
【図５】
2016089322.tif 000007
【図６】
2016089322.tif 000008
【図７】
2016089322.tif 000009
【図８】
2016089322.tif 000010
【図９】
2016089322.tif 000011
【図１０】
2016089322.tif 000012
【図１１】
2016089322.tif 000013